【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
音響信号を取得する取得手段と、
前記取得手段により取得される音響信号に基づくステレオ信号を生成する第１生成手段と、
前記取得手段により取得される音響信号に基づくバイノーラル信号を生成する第２生成手段と、
前記第１生成手段により生成されるステレオ信号と前記第２生成手段により生成されるバイノーラル信号との少なくとも何れかを含む出力信号を出力する出力手段であって、前記取得手段により取得される音響信号に対応する音源方向に応じて前記バイノーラル信号に対する前記ステレオ信号の比率が異なる出力信号を出力する出力手段とを備えることを特徴とする音響処理装置。
【請求項２】
前記第１生成手段は、前記取得手段により取得される音響信号に対して前記音源方向に応じたパンニング処理を行うことで前記ステレオ信号を生成し、
前記第２生成手段は、前記取得手段により取得される音響信号に対して前記音源方向に応じた頭部伝達関数を適用することで前記バイノーラル信号を生成することを特徴とする請求項１に記載の音響処理装置。
【請求項３】
前記出力手段は、出力信号に基づいて音を再生する複数のスピーカーの配置に関する基準方向と前記音源方向との差が閾値未満である場合には、当該差が閾値以上である場合よりも、前記バイノーラル信号に対する前記ステレオ信号の比率が大きい出力信号を出力することを特徴とする請求項１又は２に記載の音響処理装置。
【請求項４】
前記基準方向は、２つのスピーカーに関連付けられる２方向の中心方向であることを特徴とする請求項３に記載の音響処理装置。
【請求項５】
前記基準方向と前記音源方向との差が前記閾値未満である場合とは、前記音源方向が前記２つのスピーカーに関連付けられる２方向の間の方向となる場合であることを特徴とする請求項４に記載の音響処理装置。
【請求項６】
前記２つのスピーカーに関連付けられる２方向は、ユーザによる入力に応じて指定される方向であることを特徴とする請求項４に記載の音響処理装置。
【請求項７】
前記基準方向は、前記複数のスピーカーにより再生される音を聴く聴取者の正面方向として規定されることを特徴とする請求項３に記載の音響処理装置。
【請求項８】
前記出力手段は、
前記基準方向と前記音源方向との差が前記閾値より小さい第１閾値未満である場合には、前記ステレオ信号を含み且つ前記バイノーラル信号を含まない出力信号を出力し、
前記基準方向と前記音源方向との差が前記閾値より大きい第２閾値以上である場合には、前記ステレオ信号を含まず且つ前記バイノーラル信号を含む出力信号を出力することを特徴とする請求項３乃至７の何れか１項に記載の音響処理装置。
【請求項９】
前記出力手段は、前記基準方向と前記音源方向との差が前記第１閾値以上前記第２閾値未満である場合には、前記音源方向が前記基準方向に近いほど前記バイノーラル信号に対する前記ステレオ信号の比率が大きい出力信号を出力することを特徴とする請求項８に記載の音響処理装置。
【請求項１０】
前記取得手段により取得される音響信号に基づくモノラル信号を生成する第３生成手段を有し、
前記出力手段は、前記スピーカーの配置に関する前記基準方向とは別の基準方向と前記音源方向との差が第３閾値未満である場合には、前記第３生成手段により生成されるモノラル信号を含む出力信号を出力することを特徴とする請求項３乃至７のいずれか１項に記載の音響処理装置。
【請求項１１】
前記別の基準方向は、スピーカーに関連付けられる方向であり、且つ前記基準方向の略反対方向であることを特徴とする請求項１０に記載の音響処理装置。
【請求項１２】
前記出力手段は、
前記別の基準方向と前記音源方向との差が前記第３閾値以上である場合には、前記モノラル信号を含まない出力信号を出力し、
前記別の基準方向と前記音源方向との差が前記第３閾値より小さい第４閾値未満である場合には、前記モノラル信号を含み且つ前記バイノーラル信号を含まない出力信号を出力することを特徴とする請求項１０又は１１に記載の音響処理装置。
【請求項１３】
前記出力手段は、前記別の基準方向と前記音源方向との差が前記第４閾値以上前記第３閾値未満である場合には、前記音源方向が前記別の基準方向に近いほど前記バイノーラル信号に対する前記モノラル信号の比率が大きい出力信号を出力することを特徴とする請求項１２に記載の音響処理装置。
【請求項１４】
前記出力手段は、前記出力信号としての前記バイノーラル信号と前記ステレオ信号とを別々に出力することを特徴とする請求項１乃至９の何れか１項に記載の音響処理装置。
【請求項１５】
同一の音響信号に基づいて生成されるステレオ信号とバイノーラル信号との少なくとも何れかを含む入力信号を受け付ける受付手段と、
前記受付手段により受け付けられる入力信号に含まれるバイノーラル信号に対するクロストークキャンセル処理を、スピーカーの配置に関する情報に基づいて行う処理手段と、
複数のチャンネルそれぞれについて、前記ステレオ信号と前記処理手段によりクロストークキャンセル処理されたバイノーラル信号とが合成された信号を生成する生成手段と、
前記生成手段により生成される信号を、前記複数のチャンネルに対応する複数のスピーカーを駆動するための信号として出力する出力手段とを有することを特徴とする音響処理装置。
【請求項１６】
前記受付手段により受け付けられる入力信号に含まれるステレオ信号の信号レベルを、前記処理手段によるクロストークキャンセル処理の特性に応じて調整する調整手段を有し、
前記生成手段は、前記複数のチャンネルそれぞれについて、前記調整手段により調整されたステレオ信号と前記処理手段によりクロストークキャンセル処理されたバイノーラル信号とが合成された信号を生成することを特徴とする請求項１５に記載の音響処理装置。
【請求項１７】
前記受付手段は、同一の音響信号に基づいて生成されるモノラル信号とバイノーラル信号とを含む入力信号を受け付け、
前記調整手段は、前記受付手段により受け付けられる入力信号に含まれるモノラル信号の信号レベルを、前記処理手段によるクロストークキャンセル処理の特性に応じて調整し、
前記出力手段は、前記調整手段により調整されたモノラル信号を、前記複数のスピーカーとは異なるスピーカーを駆動するための信号として出力することを特徴とする請求項１６に記載の音響処理装置。
【請求項１８】
音響信号を取得する取得工程と、
複数のスピーカーの配置に関する基準方向と前記取得工程において取得される音響信号に対応する音源方向との差が第１閾値未満である場合には、前記複数のスピーカーを駆動するための信号として前記音響信号に基づいて生成されるステレオ信号を出力し、前記基準方向と前記音源方向との差が前記第１閾値より大きい第２閾値以上である場合には、前記複数のスピーカーを駆動するための信号として前記音響信号に基づいて生成されるバイノーラル信号を出力する出力工程とを有することを特徴とする音響処理方法。
【請求項１９】
前記出力工程においては、前記基準方向と前記音源方向との差が前記第１閾値以上前記第２閾値未満である場合には、前記音響信号に基づいて生成されるステレオ信号とバイノーラル信号との両方を含む信号を、前記複数のスピーカーを駆動するための信号として出力することを特徴とする請求項１８に記載の音響処理方法。
【請求項２０】
コンピュータを請求項１乃至１７のいずれか１項に記載の音響処理装置として機能させるためのプログラム。
【手続補正２】
【補正対象書類名】明細書
【補正対象項目名】００１１
【補正方法】変更
【補正の内容】
【００１１】
上記の目的を達成するための本発明の一態様による音響処理装置は、以下の構成を備える。すなわち、
音響信号を取得する取得手段と、
前記取得手段により取得される音響信号に基づくステレオ信号を生成する第１生成手段と、
前記取得手段により取得される音響信号に基づくバイノーラル信号を生成する第２生成手段と、
前記第１生成手段により生成されるステレオ信号と前記第２生成手段により生成されるバイノーラル信号との少なくとも何れかを含む出力信号を出力する出力手段であって、前記取得手段により取得される音響信号に対応する音源方向に応じて前記バイノーラル信号に対する前記ステレオ信号の比率が異なる出力信号を出力する出力手段とを備える。